(57)【要約】【課題】  勝手にスイッチが切られてしまうことなく、しかもメンテナンスの際には簡単にスイッチを切ことができる換気装置と、この換気装置を備えた換気システムと、この換気システムを備えた住宅構造を提供する。【解決手段】  外気を室内へ給気する給気ファンと室内の空気を排気する排気ファン４０のいずれかのファンと、このファンとこのファンを駆動する電動モータとを設ける装置本体と、この装置本体の前面部に装着されるグリル４５とを備えた排気ファン４０であって、グリル４５は、本体に対して着脱可能に装着され、電動モータを駆動させるスイッチＳ１を本体に設け、グリル４５の着脱に伴ってスイッチＳ１の操作が可能またはそのスイッチＳ１が操作される。【選択図】  図２
2006052923.tif 000002
【特許請求の範囲】
【請求項１】
外気を室内へ給気する給気ファンと室内の空気を排気する排気ファンのいずれかのファンと、このファンとこのファンを駆動する電動モータとを設ける装置本体と、この装置本体の前面部に装着されるカバー部とを備えた換気装置であって、
前記カバー部は、装置本体に対して着脱または開閉可能に装着され、
前記電動モータを駆動させるスイッチを前記装置本体に設け、
前記カバー部の着脱または開閉に伴って前記スイッチの操作が可能またはそのスイッチが操作されることを特徴とする換気装置。
【請求項２】
前記カバー部を取り外しまたは開成することにより、前記スイッチの操作が可能となることを特徴とする請求項１に記載の換気装置。
【請求項３】
前記カバー部材を装置本体に装着しまたはカバー部材を閉成すると、前記スイッチがオンすることを特徴とする請求項１に記載の換気装置。
【請求項４】
請求項１ないし請求項３のいずれか１つに記載の換気装置は、連続的または断続的に換気を行う常時換気機能を備えていることを特徴とする。
【請求項５】
請求項４に記載の換気装置を住宅の室内に備え、該換気装置により前記住宅の換気を行うことを特徴とする換気システム。
【請求項６】
請求項５に記載の換気システムを備えたことを特徴とする住宅構造。
【発明の詳細な説明】
【技術分野】
【０００１】
この発明は、室内の換気を行う換気装置と、この換気装置を備えた換気システムと、この換気システムを備えた住宅構造とに関する。
【背景技術】
【０００２】
近年、住宅の気密性が高まっており、十分な換気を行わないと二酸化炭素濃度が高くなり過ぎたり、特に、新築住宅などではホルムアルデヒドや揮発性有機化合物（ＶＯＣ：Ｖapor Ｏrganic Ｃomposition）の濃度が高くなり過ぎることがある。この問題を解決するために、従来から住宅に設置されている換気装置を活用して換気を頻繁に行えばよいが、その操作を頻繁に行わなければならないので面倒である。そこで、特許文献１に示す換気システムが提案されている。
【０００３】
かかる換気システムでは、外気を導入するダクトや室内の空気を外へ排気するダクトが必要になり、施工性が悪く、高価になる等の問題がある。
【０００４】
そこで、従来からある通常の換気装置を使用して２４時間の換気を行う換気システムが提案されている。
【特許文献１】特開２００２−２４３２３８号公報
【発明の開示】
【発明が解決しようとする課題】
【０００５】
しかしながら、このような換気システムにあっては、スイッチが部屋の壁に設けられていることが多く、このためスイッチが勝手に切られてしまう虞があり、排気ファンと給気ファンとによって室内の換気を行っている場合、そのスイッチが切られて排気ファンあるいは給気ファンの動作が停止してしまうと、室内の換気バランスがくずれてしまうという問題が生じる。
【０００６】
この発明の目的は、勝手にスイッチが切られてしまうことなく、しかもメンテナンスの際には簡単にスイッチを切ることができる換気装置と、この換気装置を備えた換気システムと、この換気システムを備えた住宅構造を提供することにある。
【課題を解決するための手段】
【０００７】
請求項１の発明は、外気を室内へ給気する給気ファンと室内の空気を排気する排気ファンのいずれかのファンと、このファンとこのファンを駆動する電動モータとを設ける装置本体と、この装置本体の前面部に装着されるカバー部とを備えた換気装置であって、
前記カバー部は、装置本体に対して着脱または開閉可能に装着され、
前記電動モータを駆動させるスイッチを前記装置本体に設け、
前記カバー部の着脱または開閉に伴って前記スイッチの操作が可能またはそのスイッチが操作されることを特徴とする。
【０００８】
請求項２の発明は、前記カバー部を取り外しまたは開成することにより、前記スイッチの操作が可能となることを特徴とする。
【０００９】
請求項３の発明は、前記カバー部材を装置本体に装着しまたはカバー部材を閉成すると、前記スイッチがオンすることを特徴とする。
【００１０】
請求項４の発明は、請求項１ないし請求項３のいずれか１つに記載の換気装置は、連続的または断続的に換気を行う常時換気機能を備えていることを特徴とする。
【００１１】
請求項５の発明は、請求項４に記載の換気装置を住宅の室内に備え、該換気装置により前記住宅の換気を行う換気システムであることを特徴とする。
【００１２】
請求項６の発明は、 請求項５に記載の換気システムを備えた住宅構造であることを特徴とする。
【発明の効果】
【００１３】
この発明によれば、勝手にスイッチが切られてしまうことなく、しかもメンテナンスの際には簡単にスイッチを切ることができる。
【発明を実施するための最良の形態】
【００１４】
以下、この発明に係わる換気装置と、この換気装置を備えた換気システムと、この換気システムを備えた住宅構造の実施例を図面に基づいて説明する。
【実施例】
【００１５】
［第１実施例］
図１に換気システムを備えた住宅構造１０を示す。この住宅構造１０は、一階１１に設けた換気システム３０と、二階２０に設けた換気システム６０とを備えている。
【００１６】
換気システム３０は、リビングルーム１２の壁１３に設けた給気ファン（パイプファン：換気装置）３１と、トイレ１４の壁１５に設けた排気ファン（パイプファン：換気装置）４０と、洗面所１６の壁１７に設けた排気ファン（パイプファン：換気装置）５０とを備えている。
【００１７】
換気システム６０は、部屋２１の壁２２に設けた給気ファン（パイプファン：換気装置）６１と、ホール２３の壁２４に設けた排気ファン（パイプファン：換気装置）６２と、部屋２５の壁２６に設けた給気ファン（パイプファン：換気装置）６３と、トイレ２７の壁２８に設けた排気ファン（パイプファン：換気装置）６４とを備えている。
【００１８】
換気システム３０の給気ファン３１は、外気をリビングルーム１２に給気するものであり、排気ファン４０はトイレ１４の空気を外へ排気し、排気ファン５０は洗面所１６の空気を外へ排気するものである。そして、リビングルーム１２とトイレ１４はトイレ１４のドア１４Ｄのガラリ１４Ｄａを介して連通し、洗面所１６とトイレ１４はドア１７のガラリ１７ａを介して連通し、洗面所１６と浴室１８は浴室１８のドア１８Ｄのガラリ１８Ｄａを介して連通している。ドア１４Ｄ,１７のガラリ１４Ｄａ,１７ａはドア下面に設けたアンダーカット部であってもよい。
【００１９】
そして、リビングルーム１２に給気された新鮮な空気は、ドア１４Ｄのガラリ１４Ｄａを介してトイレ１４や、ドア１７のガラリ１７ａを介して洗面所１６や、ドア１８Ｄのガラリ１８Ｄａを介して浴室１８へ給気されていく。また、リビングルーム１２の汚れた空気は、ドア１４Ｄのガラリ１４Ｄａやドア１７のガラリ１７ａを介して排気ファン４０,５０によって外へ排気される。
【００２０】
浴室１８に給気された空気は、浴室換気装置（図示せず）により換気される。
【００２１】
排気ファン４０は、図２ないし図６に示すように、中央部に穴４１Ａを形成した方形状の装置本体４１と、この装置本体４１の穴４１Ａに取り付けられるとともにその穴４１Ａから後方へ突出した円筒状のパイプ４２と、このパイプ４２内に回転自在に設けたファン４３と、パイプ４２内に設けられるとともにファン４３を回転させる電動モータ４４と、本体４１の前面を覆うグリル（カバー部）４５等とから構成されている。電動モータ４４は、ファン４３の後側（図３において右側）に配置され、ファン４３によって冷却されるようになっている。
【００２２】
グリル４５は、本体４１の前面に着脱自在に取り付けられるようになっている。また、装置本体４１の前面にはモータ４４のスイッチＳ１が設けられており、装置本体４１の前面にグリル４５を取り付けるとその前面がグリル４５により覆われることによりスイッチＳ１の操作が行えないようになっている。
【００２３】
排気ファン４０のパイプ４２は、壁１５（図１参照）に設けた穴（図示せず）に挿入されるものであり、装置本体４１は壁１５から出るとともにその壁１５に沿って室内側、すなわちトイレ１４に配置される。
【００２４】
排気ファン５０も排気ファン４０と同様な構成となっており、その説明は省略する。
【００２５】
給気ファン３１は、図７ないし図９に示すように、中央部に穴３２Ａを形成した長方形の装置本体３２と、この装置本体３２の穴３２Ａに取り付けられるとともにその穴３２Ａから後方へ突出した円筒状のパイプ３３と、このパイプ３３内に回転自在に設けたファン３４と、パイプ３３内に設けられるとともにファン３４を回転させる電動モータ３５と、装置本体３２の前面を覆うグリル（カバー部）３６等とから構成されている。電動モータ３５は、ファン３４の前側に配置され、ファン３４によって冷却されるようになっている。
【００２６】
グリル３６は装置本体３２に着脱自在に取り付けられるようになっている。また、装置本体３２の前面には電動モータ３５のスイッチＳ２が設けられており、装置本体３２の前面にグリル３６を取り付けるとスイッチＳ２の操作が行えないようになっている。  そして、給気ファン３１のパイプ３３は壁１３（図１参照）に設けた穴（図示せず）に挿入されるものであり、装置本体３２は壁１３から出るとともにその壁１３に沿って室内側、すなわちリビングルーム１２に配置される。
【００２７】
換気システム６０の給気ファン６１は外気を部屋２１に給気するものであり、排気ファン６２はホール２３の空気を排気し、給気ファン６３は外気を部屋２５に給気し、排気ファン６４はトイレ２７の空気を排気するものである。そして、部屋２１,２５とホール２３はドア２８,２９のガラリ２８ａ,２９ａを介して連通し、部屋２５とトイレ２７はドア２７Ｄのガラリ２７Ｄａを介して連通している。
【００２８】
そして、部屋２１,２５に給気された新鮮な空気は、ドア２８,２９のガラリ２８ａ,２９ａを介してホール２３や、ドア２７Ｄのガラリ２７Ｄａを介してトイレ２７に給気されていく。また、部屋２１,２５の汚れた空気は、ドア２８,２９のガラリ２８ａ,２９ａを介して排気ファン６２によって外へ排気される。
【００２９】
給気ファン６１,６３は給気ファン３１と同じ構成であり、排気ファン６２,６４は排気ファン４０と同じ構成なのでその説明は省略する。
【００３０】
排気ファン４０を動作させるには、先ず装置本体４１からグリル４５を取り外し、スイッチＳ１をオンさせる。そして、装置本体４１にグリル４５を取り付ける。同様にして、排気ファン５０や給気ファン３１を駆動させる。
【００３１】
この給気ファン３１および排気ファン４０,５０の駆動により、リビングルーム１２やトイレ１４や洗面所１６の換気が行われる。給気ファン３１および排気ファン４０,５０は２４時間駆動されるものであり、これら給気ファン３１と排気ファン４０,５０の２４時間の駆動によって、リビングルーム１２やトイレ１４や洗面所１６は単位時間当たり所定の換気量（換気回数０.５回／時間）が行われる。
【００３２】
同様にして、給気ファン６１,６３および排気ファン６２,６４を駆動させると、部屋２１,２５やホール２３やトイレ２７の換気が行われる。給気ファン６１,６３および排気ファン６２,６４は２４時間駆動されるものであり、これら給気ファン６１,６３および排気ファン６２,６４の２４時間の駆動によって、部屋２１,２５やホール２３やトイレ２７は単位時間当たり所定量の換気が行われる。
【００３３】
このようにして、本発明の換気システム３０,６０により住宅全体の換気対象部分の容積の所定換気回数（例えば０.５回／時間）を満たすように排気ファン４０,５０,６２,６４および給気ファン３１,６１,６３を駆動して、連続的または断続的に常時換気を行っている。
【００３４】
住宅全体の換気対象エリアの容積の所定換気回数を満たすべく、換気システム３０,６０を主としていれば、常時換気機能付きの浴室換気装置などの他の換気装置で補足的に換気を補うようにしてもよい。
【００３５】
また、上記実施例では複数階の戸建て住宅を用いて説明したが、複数階でない戸建て住宅でもよく、さらにマンションのような住宅に設置してもよい。また、複数階のうち、特定のフロアのみ（２階の換気システム６０のみ）に設置して、他フロアは別の換気システムとしてもよい。少なくとも１つのフロアに換気システム３０,６０を設けていればよい。
【００３６】
ところで、本体４１の前面にはグリル４５が取り付けられているので、勝手にスイッチＳ１が切られてしまうことを防止することができる。しかも、グリル４５を取り外せばスイッチＳ１を切ることができる。すなわち、メンテナンスの際にはグリル４５を取り外すだけで簡単にスイッチＳ１を切ことができる。
【００３７】
上記実施例では、換気システム３０,６０は、複数の排気ファン４０,５０,６２,６４や給気ファン６１,６３を備えているが、１つの給気ファンと１つの排気ファンだけであってもよく、また排気ファン４０,５０,６２,６４や給気ファン３１,６１,６３のいずれか１つだけであってもよい。
［第２実施例］
図１０は第２実施例の排気ファン（パイプファン：換気装置）１４０を示したものである。この排気ファン１４０は、装置本体４１の底部にマイクロスイッチ１４１を設け、このマイクロスイッチ１４１のアクチュエータ１４２をその底部の切欠４１ａから下方に突出させ、グリル４５を装置本体４１の前面に取り付けると、そのアクチュエータ１４２が引き込んでマイクロスイッチ１４１がオンするようにしたものである。このマイクロスイッチ１４１のオンにより電動モータ４４が駆動されるようになっている。
【００３８】
そして、装置本体４１からグリル４５を外すと、アクチュエータ１４２が装置本体４１の切欠４１ａから突出してマイクロスイッチ１４１がオフし、電動モータ４４の駆動が停止されるようになっている。
【００３９】
この第２実施例によれば、グリル４５を装置本体４１に取り付ければマイクロスイッチ１４１がオンして電動モータ４４が駆動され、グリル４５を装置本体４１から取り外せばマイクロスイッチ１４１がオフして電動モータ４４の駆動が停止されるので、メンテナンスの際のグリル４５の脱着時にマイクロスイッチ１４１を操作する必要がなく、非常に使い勝手のよいものとなる。
【００４０】
この第２実施例では、マイクロスイッチ１４１を排気ファン１４０に設けた場合について説明したが、この構成を給気ファン３１,６１,６３に適用してもよい。
［第３実施例］
図１１および図１２は第３実施例の排気ファン（パイプファン：換気装置）１５０を示したものである。この排気ファン１５０は、装置本体４１の一側部４１Ａに軸１５１を設け、この軸１５１にグリル１５２の一端を軸支させたものである。グリル１５２は、軸１５１回りに回動自在となっており、軸１５１を中心にして装置本体４１に対して、詳しくはその前面４１Ｂに対して開閉するようになっている。
【００４１】
そして、グリル１５２を図１１に示すように閉成すると、マイクロスイッチ１４１がオンして電動モータ４４が駆動され、ファン４３が回転して例えばトイレ等の排気が行われる。
【００４２】
また、グリル１５２を図１２に示すように開成すると、マイクロスイッチ１４１がオフして電動モータ４４の駆動が停止され、ファン４３による排気が停止される。
【００４３】
このように、グリル１５２の開閉に連動して電動モータ４４をオン・オフさせるようにしたものであり、第２実施例と同様な効果を得ることができる。
【００４４】
この第３実施例では、排気ファン１５０について説明したが、この構成を給気ファン３１,６１,６３に適用してもよい。
【００４５】
また、グリル１５２は上下に開閉するようになっているが、軸１５１を装置本体４１の側面に設けて左右に開閉するようにしてもよい。
【図面の簡単な説明】
【００４６】
【図１】第１実施例の換気システムを備えた住宅構造を示した説明図である。
【図２】排気ファンを示した斜視図である。
【図３】排気ファンの構成を示した説明図である。
【図４】排気ファンの本体を示した斜視図である。
【図５】図４の本体を示した正面図である。
【図６】グリルを示した斜視図である。
【図７】給気ファンを示した正面図である。
【図８】図７に示す給気ファンの平面図である。
【図９】図７に示す給気ファンの背面図である。
【図１０】第２実施例の排気ファンの構成を示した断面図である。
【図１１】第３実施例の排気ファンの構成を示した断面図である。
【図１２】図１１に示す排気ファンのグリルを開成した状態を示した説明図である。
【符号の説明】
【００４７】
４０              排気ファン（換気装置）
４１              装置本体
４３              ファン
４４              電動モータ
４５              グリル（カバー部）
Ｓ１              スイッチ
【図１】
2006052923.tif 000003
【図２】
2006052923.tif 000004
【図３】
2006052923.tif 000005
【図４】
2006052923.tif 000006
【図５】
2006052923.tif 000007
【図６】
2006052923.tif 000008
【図７】
2006052923.tif 000009
【図８】
2006052923.tif 000010
【図９】
2006052923.tif 000011
【図１０】
2006052923.tif 000012
【図１１】
2006052923.tif 000013
【図１２】
2006052923.tif 000014